【手続補正書】
【提出日】平成26年4月18日(2014.4.18)
【手続補正１】
【補正対象書類名】特許請求の範囲
【補正対象項目名】請求項４
【補正方法】変更
【補正の内容】
【請求項４】
式（４）で表される化合物の群から選択される少なくとも１つの化合物である（Ｄ）成分をさらに含有する請求項１から３のいずれか１項に記載の重合性液晶組成物。
2012177087.tif 000001

Ｘ４は水素、メチルまたはトリフルオロメチルであり；
Ｒ４はシアノ、−ＯＣＦ３、炭素数１〜１０のアルキルまたは炭素数１〜１０のアルコキシであり、このアルキルおよびアルコキシにおいて任意の水素はフッ素で置き換えられてもよく；
環Ａ４１は１，４−フェニレンまたは１，４−シクロヘキシレンであり；
Ｗ４１は独立して水素、ハロゲン、ニトロ、シアノ、炭素数１〜７のアルキルまたは炭素数１〜７のアルコキシであり、このアルキルおよびアルコキシにおいて任意の水素はフッ素で置き換えられてもよく、ただし、環Ａ４１が１，４−シクロヘキシレンのとき、Ｗ４１は水素であり；
Ｚ４１は単結合、−Ｏ−、−ＣＯＯ−、−ＯＣＯ−または−ＯＣＯＯ−であり；
Ｚ４２は単結合、−ＣＯＯ−、−ＯＣＯ−、−ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−または−Ｃ≡Ｃ−であり；
ｎ４１は２〜１０の整数であり；
ｎ４２は１〜２の整数である。
【手続補正２】
【補正対象書類名】特許請求の範囲
【補正対象項目名】請求項５
【補正方法】変更
【補正の内容】
【請求項５】
請求項４に記載の式（４）において、
Ｘ４が水素またはメチルであり；
Ｒ４がシアノ、−ＯＣＦ３、炭素数１〜１０のアルキルまたは炭素数１〜１０のアルコキシであり；
環Ａ４１は１，４−フェニレンまたは１，４−シクロヘキシレンであり；
Ｗ４１が独立して水素、フッ素、塩素、ニトロ、シアノ、炭素数１〜３のアルキルまたは炭素数１〜３のアルコキシであり、このアルキルおよびアルコキシにおいて任意の水素はフッ素で置き換えられてもよく、ただし、環Ａ４１が１，４−シクロヘキシレンのとき、Ｗ４１は水素であり；
Ｚ４１が単結合、−Ｏ−、−ＣＯＯ−、−ＯＣＯ−または−ＯＣＯＯ−であり；
Ｚ４２が単結合、−ＣＯＯ−、−ＯＣＯ−、−ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−または−Ｃ≡Ｃ−であり；
ｎ４１が２〜１０の整数であり；
ｎ４２が１〜２の整数である、
請求項４に記載の重合性液晶組成物。
【手続補正３】
【補正対象書類名】特許請求の範囲
【補正対象項目名】請求項６
【補正方法】変更
【補正の内容】
【請求項６】
請求項４に記載の式（４）において、
Ｘ４が水素またはメチルであり；
Ｒ４がシアノ、−ＯＣＦ３、炭素数１〜１０のアルキルまたは炭素数１〜１０のアルコキシであり；
環Ａ４１は１，４−フェニレンまたは１，４−シクロヘキシレンであり；
Ｗ４１が独立して水素、フッ素、メチルまたはメトキシであり、このメチルおよびメトキシにおいて任意の水素はフッ素で置き換えられてもよく、ただし、環Ａ４１が１，４−シクロヘキシレンのとき、Ｗ４１は水素であり；
Ｚ４１が単結合、−Ｏ−、−ＣＯＯ−、−ＯＣＯ−または−ＯＣＯＯ−であり；
Ｚ４２が単結合、−ＣＯＯ−、−ＯＣＯ−、−ＣＨ＝ＣＨ−ＣＯＯ−、−ＣＨ２ＣＨ２−ＣＯＯ−または−Ｃ≡Ｃ−であり；
ｎ４１が２〜１０の整数であり；
ｎ４２が１〜２の整数である、
請求項４に記載の重合性液晶組成物。
【手続補正４】
【補正対象書類名】明細書
【補正対象項目名】００１６
【補正方法】変更
【補正の内容】
【００１６】
［４］  式（４）で表される化合物の群から選択される少なくとも１つの化合物である（Ｄ）成分をさらに含有する項[１]から[３]のいずれか１項に記載の重合性液晶組成物。
2012177087.tif 000002

Ｘ４は水素、メチルまたはトリフルオロメチルであり；
Ｒ４はシアノ、−ＯＣＦ３、炭素数１〜１０のアルキルまたは炭素数１〜１０のアルコキシであり、このアルキルおよびアルコキシにおいて任意の水素はフッ素で置き換えられてもよく；
環Ａ４１は１，４−フェニレンまたは１，４−シクロヘキシレンであり；
Ｗ４１は独立して水素、ハロゲン、ニトロ、シアノまたは炭素数１〜７のアルキルまたは炭素数１〜７のアルコキシであり、このアルキルおよびアルコキシにおいて任意の水素はフッ素で置き換えられてもよく、ただし、環Ａ４１が１，４−シクロヘキシレンのとき、Ｗ４１は水素であり；
Ｚ４１は単結合、−Ｏ−、−ＣＯＯ−、−ＯＣＯ−または−ＯＣＯＯ−であり；
Ｚ４２は単結合、−ＣＯＯ−、−ＯＣＯ−、−ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−または−Ｃ≡Ｃ−であり；
ｎ４１は２〜１０の整数であり；
ｎ４２は１〜２の整数である。
【手続補正５】
【補正対象書類名】明細書
【補正対象項目名】００１７
【補正方法】変更
【補正の内容】
【００１７】
［５］  項［４］に記載の式（４）において、
Ｘ４が水素またはメチルであり；
Ｒ４がシアノ、−ＯＣＦ３、炭素数１〜１０のアルキルまたは炭素数１〜１０のアルコキシであり；
環Ａ４１は１，４−フェニレンまたは１，４−シクロヘキシレンであり；
Ｗ４１が独立して水素、フッ素、塩素、ニトロ、シアノ、炭素数１〜３のアルキルまたは炭素数１〜３のアルコキシであり、このアルキルおよびアルコキシにおいて任意の水素はフッ素で置き換えられてもよく、ただし、環Ａ４１が１，４−シクロヘキシレンのとき、Ｗ４１は水素であり；
Ｚ４１が単結合、−Ｏ−、−ＣＯＯ−、−ＯＣＯ−または−ＯＣＯＯ−であり；
Ｚ４２が単結合、−ＣＯＯ−、−ＯＣＯ−、−ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−または−Ｃ≡Ｃ−であり；
ｎ４１が２〜１０の整数であり；
ｎ４２が１〜２の整数である、
項［４］に記載の重合性液晶組成物。
【手続補正６】
【補正対象書類名】明細書
【補正対象項目名】００１８
【補正方法】変更
【補正の内容】
【００１８】
［６］  項［４］に記載の式（４）において、
Ｘ４が水素またはメチルであり；
Ｒ４がシアノ、−ＯＣＦ３、炭素数１〜１０のアルキルまたは炭素数１〜１０のアルコキシであり；
環Ａ４１は１，４−フェニレンまたは１，４−シクロヘキシレンであり；
Ｗ４１が独立して水素、フッ素、メチルまたはメトキシであり、このメチルおよびメトキシにおいて任意の水素はフッ素で置き換えられてもよく、ただし、環Ａ４１が１，４−シクロヘキシレンのとき、Ｗ４１は水素であり；
Ｚ４１が単結合、−Ｏ−、−ＣＯＯ−、−ＯＣＯ−または−ＯＣＯＯ−であり；
Ｚ４２が単結合、−ＣＯＯ−、−ＯＣＯ−、−ＣＨ＝ＣＨ−ＣＯＯ−、−ＣＨ２ＣＨ２−ＣＯＯ−または−Ｃ≡Ｃ−であり；
ｎ４１が２〜１０の整数であり；
ｎ４２が１〜２の整数である、
項［４］に記載の重合性液晶組成物。
【手続補正７】
【補正対象書類名】明細書
【補正対象項目名】００３６
【補正方法】変更
【補正の内容】
【００３６】
本発明の組成物は、式（４）で表される化合物の群から選択される少なくとも１つの化合物を、（Ｄ）成分としてさらに含有してもよい。
2012177087.tif 000003

【手続補正８】
【補正対象書類名】明細書
【補正対象項目名】００３７
【補正方法】変更
【補正の内容】
【００３７】
式（４）において
Ｘ４は水素、メチルまたはトリフルオロメチルであり、好ましくは水素またはメチルである。
Ｒ４はシアノ、−ＯＣＦ３、炭素数１〜１０のアルキルまたは炭素数１〜１０のアルコキシであり、このアルキルおよびアルコキシにおいて任意の水素はフッ素で置き換えられてもよい。好ましくはシアノ、−ＯＣＦ３、炭素数１〜１０のアルキルまたは炭素数１〜１０のアルコキシである。
環Ａ４１は１，４−フェニレンまたは１，４−シクロヘキシレンである。
Ｗ４１は独立して水素、ハロゲン、ニトロ、シアノ、炭素数１〜７のアルキルまたは炭素数１〜７のアルコキシであり、このアルキルおよびアルコキシにおいて任意の水素はフッ素で置き換えられてもよい。好ましくは水素、フッ素、塩素、ニトロ、シアノ、炭素数１〜３のアルキルまたは炭素数１〜３のアルコキシであり、このアルキルおよびアルコキシにおいて任意の水素はフッ素で置き換えられてもよい。より好ましくは水素、フッ素、メチルまたはメトキシであり、このメチルおよびメトキシにおいて任意の水素はフッ素で置き換えられてもよい。ただし、環Ａ４１が１，４−シクロヘキシレンのとき、Ｗ４１は水素である。
Ｚ４１は単結合、−Ｏ−、−ＣＯＯ−、−ＯＣＯ−、または−ＯＣＯＯ−である。
Ｚ４２は単結合、-ＣＯＯ-、-ＯＣＯ-、-ＣＨ＝ＣＨ−ＣＯＯ−、−ＯＣＯ−ＣＨ＝ＣＨ−、−ＣＨ２ＣＨ２−ＣＯＯ−、−ＯＣＯ−ＣＨ２ＣＨ２−または−Ｃ≡Ｃ−である。
ｎ４１は２〜１０の整数である。
ｎ４２は１〜２の整数である。